(57)【要約】【課題】小型かつ軽量で、操作が容易で、使用上の安全性を高める吸着式刃物研ぎ器を提供する。【解決手段】吸着式刃物研ぎ器は、吸盤座１１およびスタンド４１を備える。吸盤座１１は、底部に開口部１２が形成され、孔１５を有する。開口部１２の中に吸盤２１が装着される。吸盤２１は、孔１５に対応するように上に突出して形成された突出柱２２を有する。突出柱２２は、孔１５から吸盤座１１の頂部に突出し、制御ユニット３１に接続される。制御ユニット３１は、一端にレバー３２が形成され、他端に接続部３３が形成され、接続部３３の反対方向に支持部３４が突出して形成され、突出柱２２を引っ張って吸盤２１を上に移動させる。スタンド４１は、吸盤座１１の頂部に装着され、二つの支持アーム４２を有する。二つの支持アーム４２の間には、研磨ユニット５１が跨るように設けられる。【選択図】図１
0003166608.tif 000002
【実用新案登録請求の範囲】
【請求項１】
吸盤座およびスタンドを備え、
前記吸盤座は、中空を呈し、底部に開口部が形成され、孔を有し、
前記開口部は、内側に環状ストッパーが突出して形成され、中に吸盤が装着され、
前記吸盤は、外側部分が前記環状ストッパーによって押さえられ、減圧状態を生成し、固定平面に吸着し、前記孔に対応するように上に突出して形成された突出柱を有し、
前記突出柱は、前記孔から前記吸盤座の頂部に突出し、制御ユニットに接続され、
前記制御ユニットは、一端にレバーが形成され、他端に接続部が形成され、前記接続部の反対方向に支持部が突出して形成され、前記突出柱を引っ張って前記吸盤を上に移動させ、
前記接続部は、枢軸によって前記突出柱が前記吸盤座の頂部から露出する一端に接続され、
前記支持部は、前記吸盤座の頂部に突き当たり、
前記スタンドは、前記吸盤座の頂部に装着され、二つの支持アームと、底部から下へ伸びて形成されるストッパーと、を有し、
前記二つの支持アームの間には、研磨ユニットが跨るように設けられ、
前記ストッパーは、欠け溝を有し、前記制御ユニットの外周に被さり、
前記制御ユニットの前記レバーは前記欠け溝から外部に露出することを特徴とする吸着式刃物研ぎ器。
【請求項２】
前記吸盤座は、底部の周縁に欠け口を有し、
前記吸盤は、周縁に前記欠け口から外部に露出するように形成された耳部を有することを特徴とする請求項１に記載の吸着式刃物研ぎ器。
【請求項３】
前記吸盤座は、頂部に突出して形成された複数の連結部を有し、
前記スタンドは、複数の締付ユニットによって前記複数の連結部に固定されることを特徴とする請求項１に記載の吸着式刃物研ぎ器。
【請求項４】
前記二つの支持アームは、互いに向かい合うように形成された軸孔を有し、
前記研磨ユニットは、前記軸孔を貫通するシャフトによって前記二つの支持アームの間に固定されることを特徴とする請求項１に記載の吸着式刃物研ぎ器。
【請求項５】
前記軸孔には、前記シャフトの両端が嵌合するスリーブが設けられることを特徴とする請求項４に記載の吸着式刃物研ぎ器。
【考案の詳細な説明】
【技術分野】
【０００１】
本考案は、刃物研ぎ器に関し、詳しくは吸着式刃物研ぎ器に関する。
【背景技術】
【０００２】
一般の家庭では包丁、果物ナイフまたははさみなどは、暫く使用された後、刃の部分が摩損したことが原因で切れ味が落ちてしまうという現象が発生するため、砥石または刃物研ぎ器によって切れ味を回復させることが一般的である。従来の電動刃物研ぎ器は、研削盤によって砥石を回転させ、刃物の刃の部分を研ぐ。
【考案の概要】
【考案が解決しようとする課題】
【０００３】
しかしながら、一般の電動刃物研ぎ器は体積および重量が比較的大きいため、携帯に不便であるだけでなく相当な収納空間を取ってしまうという欠点がある。砥石（または刃物研ぎ器）を手で持って刃物研ぎの作業を行う際、片方の手で砥石（または刃物研ぎ器）を持ち、もう片方の手で刃物を持って作業を進める必要があるため、安全に配慮しながら、慎重に作業しなければならない。
本考案の目的は、小型かつ軽量であるだけでなく、操作が容易で、使用上の安全性を高める吸着式刃物研ぎ器を提供することである。
【課題を解決するための手段】
【０００４】
上述の目的を達成するため、本考案による吸着式刃物研ぎ器は、吸盤座およびスタンドを備える。
吸盤座は、中空を呈し、底部に開口部が形成され、孔を有する。開口部は、内側に環状ストッパーが突出して形成され、中に吸盤が装着される。吸盤は、外側部分が環状ストッパーによって押さえられ、減圧状態を生成し、固定平面に吸着し、孔に対応するように上に突出して形成された突出柱を有する。突出柱は、孔から吸盤座の頂部に突出し、制御ユニットに接続される。制御ユニットは、一端にレバーが形成され、他端に接続部が形成され、接続部の反対方向に支持部が突出して形成され、突出柱を引っ張って吸盤を上に移動させる。
スタンドは、吸盤座の頂部に装着され、二つの互いに対応する支持アームを有する。二つの支持アームの間には、研磨ユニットが跨るように設けられる。
【図面の簡単な説明】
【０００５】
【図１】本考案の一実施形態による吸着式刃物研ぎ器を示す分解斜視図である。
【図２】本考案の一実施形態による吸着式刃物研ぎ器を示す斜視図である。
【図３】本考案の一実施形態による吸着式刃物研ぎ器を示す断面図である。
【図４】本考案の一実施形態による吸着式刃物研ぎ器が固定平面に吸着し、使用される状態を示す模式図である。
【考案を実施するための形態】
【０００６】
以下、本考案による吸着式刃物研ぎ器を図面に基づいて説明する。
（一実施形態）
図１から図３に示すように、本考案の一実施形態による吸着式刃物研ぎ器は、吸盤座１１、吸盤２１、制御ユニット３１、スタンド４１および研磨ユニット５１から構成される。
【０００７】
吸盤座１１は、中空を呈し、底部に開口部１２が形成され、孔１５を有し、底部の周縁に欠け口１４を有し、頂部に上に突出して形成された複数の連結部１６を有する。開口部１２は、内側に環状ストッパー１３が下に突出して形成される。
【０００８】
吸盤２１は、伸縮性及び弾力性を有し、円形の片状を呈し、吸盤座１１の開口部１２の中に装着され、孔１５に対応するように上に突出して形成された突出柱２２を有し、周縁に欠け口１４から外部に露出するように形成された耳部２３を有する。吸盤２１の外側部分と吸盤座１１の内側の環状ストッパー１３とは互いに対応する。突出柱２２は、孔１５から吸盤座１１の頂部に突出する。
【０００９】
制御ユニット３１は、一端にレバー３２が形成され、他端に接続部３３が形成され、接続部３３の反対方向に支持部３４が突出して形成される。接続部３３は、枢軸３５によって突出柱２２が吸盤座１１の頂部から露出する一端に接続される。支持部３４は、吸盤座１１の頂部に突き当たる。レバー３２を押すと、支持部３４は吸盤座１１の頂部に突き当たって力を発生させ、接続部３３はこの力によって回転し、突出柱２２を引っ張り、吸盤２１を上に移動させることができる。
【００１０】
スタンド４１は、二つの互いに対応する支持アーム４２と、底部から下へ伸びて形成されたストッパー４４とを有する。二つの支持アーム４２は、互いに向かい合うように形成された軸孔４３を有する。ストッパー４４は、欠け溝４５を有する。スタンド４１は、複数の締付ユニット４６によって吸盤座１１の頂部の連結部１６に固定される。スタンド４１が吸盤座１１の頂部に固定される際、ストッパー４４は制御ユニット３１の外周に被さり、制御ユニット３１のレバー３２は欠け溝４５から外部に露出する。
【００１１】
研磨ユニット５１は、二つの支持アーム４２の間に跨るように設けられる。シャフト５２は、研磨ユニット５１および二つの支持アーム４２の軸孔４３を貫通し、二つの支持アーム４２の間に研磨ユニット５１を固定する。本実施形態において、二つの支持アーム４２の軸孔４３には、シャフト５２の両端が嵌合するスリーブ５３が設けられることによって研磨ユニット５１を軸方向に沿って回転させることができる。
【００１２】
上述した部品から構成された本実施形態による吸着式刃物研ぎ器を使用する際、図４に示すように、まず固定平面６１に吸盤２１を貼り付け、続いて制御ユニット３１のレバー３２を押すことによって制御ユニット３１の支持部３４を吸盤座１１の頂部に突き当て、接続部３３を回転させるとともに突出柱２２を引っ張り、吸盤２１を上に移動させる。このとき、吸盤座１１の内側の環状ストッパー１３は、吸盤２１の外側部分を加圧し、密封状態を生成し、空気の流通を遮断することによって吸盤２１の外側部分を固定平面６１に吸着させる。吸盤２１は中央部位が突起して真空を生成するため、固定平面６１に吸着することができる。従って、本実施形態による吸着式刃物研ぎ器を固定平面６１にしっかり固定し、刃物研ぎの作業の便をはかることができる。
【００１３】
本実施形態による吸着式刃物研ぎ器の真空吸着作用を解除する際、制御ユニット３１のレバー３２をあげ、続いて吸盤２１の耳部２３によって吸盤２１の辺縁部を持ち上げれば、真空吸着状態を解除することができる。
【００１４】
上述により、本考案の効果は次の通りである。
１、本考案は、操作が簡単なだけでなく、コンパクトなおかつ軽量であるため、場所を取らず、携帯および収納に便利な点を有する。
２、本考案は、減圧状態吸着作用によって平面にしっかり吸着し、滑ることを避けることができるため、刃物研ぎの作業の便をはかることができる。
３、本考案は、減圧状態吸着作用によって平面にしっかり吸着することができるため、使用上の安全性を高めることができる。
【符号の説明】
【００１５】
１１      ・・・吸盤座、
１２      ・・・開口部、
１３      ・・・環状ストッパー、
１４      ・・・欠け口、
１５      ・・・孔、
１６      ・・・連結部、
２１      ・・・吸盤、
２２      ・・・突出柱、
２３      ・・・耳部、
３１      ・・・制御ユニット、
３２      ・・・レバー、
３３      ・・・接続部、
３４      ・・・支持部、
３５      ・・・枢軸、
４１      ・・・スタンド、
４２      ・・・支持アーム、
４３      ・・・軸孔、
４４      ・・・ストッパー、
４５      ・・・欠け溝、
４６      ・・・締付ユニット、
５１      ・・・研磨ユニット、
５２      ・・・シャフト、
５３      ・・・スリーブ、
６１      ・・・固定平面。
【図１】
0003166608.tif 000003
【図２】
0003166608.tif 000004
【図３】
0003166608.tif 000005
【図４】
0003166608.tif 000006